(57)【要約】【課題】  ペット用吸収性シートに関する一層合理的な構築技術を提供する。【解決手段】  ペットが排泄を行う側の表面である排泄面１４０と、排泄領域１４０と対向する表面である載置面１５０とを有し、載置面１５０は、粘着剤２３０が塗布されるとともに載置対象に接着可能とされた接着領域２００を有し、接着領域２００は、第１接着領域２１０と第２接着領域２２０とを有し、第１接着領域２１０と前記第２接着領域２２０を被覆するとともに、第１接着領域２１０と第２接着領域２２０を所定の順序で露出させる誘導部４００を有する。【選択図】  図７
2014226043.tif 000002
【特許請求の範囲】
【請求項１】
ペット用吸収性シートであって、
液透過性を有する第１シートと、液不透過性を有する第２シートと、前記第１シート及び前記第２シートの間に配置される吸収性コアと、ペットが排泄を行う側の表面である排泄面と、当該排泄領域と対向する表面である載置面と、を有し、
前記載置面は、粘着剤が塗布されるとともに載置対象に接着可能とされた接着領域を有し、
前記接着領域は、第１接着領域と、当該第１接着領域とは異なる態様で構成された第２接着領域とを有し、
前記第１接着領域と前記第２接着領域を被覆するとともに、前記第１接着領域と前記第２接着領域を所定の順序で露出させる誘導部を有することを特徴とするペット用吸収性シート。
【請求項２】
請求項１に記載されたペット用吸収性シートであって、
前記第１接着領域における接着力が、前記第２接着領域における接着力よりも弱く形成されることにより、前記第１接着領域は前記第２接着領域とは異なる態様で構成されることを特徴とするペット用吸収性シート。
【請求項３】
請求項１または２のいずれか１項に記載されたペット用吸収性シートであって、
前記誘導部は、第１接着領域を先に露出させ、次に第２接着領域を露出させるように形成されていることを特徴とするペット用吸収性シート。
【請求項４】
請求項１〜３のいずれか１項に記載されたペット用吸収性シートであって、
前記誘導部は、前記接着領域の少なくとも一部に配置される剥離シートを有し、
前記剥離シートは、一方の面と、当該一方の面と対向する面である他方の面と、を有することを特徴とするペット用吸収性シート。
【請求項５】
請求項４に記載されたペット用吸収性シートであって、
前記剥離シートは、前記接着領域に対する接着を抑制する抑制領域を有することを特徴とするペット用吸収性シート。
【請求項６】
請求項４または５のいずれか１項に記載されたペット用吸収性シートであって、
前記剥離シートは、前記接着領域に対する接着を促進する促進領域を有することを特徴とするペット用吸収性シート。
【請求項７】
請求項１〜６のいずれか１項に記載されたペット用吸収性シートであって、
前記ペット用吸収性シートは、前記第１接着領域と前記第２接着領域との間で折り曲げられたペットシート折り曲げ部を有することを特徴とするペット用吸収性シート。
【発明の詳細な説明】
【技術分野】
【０００１】
本発明は、ペット用吸収性シートに関するものである。
【背景技術】
【０００２】
従来より、特に室内で飼育されるペットの排泄物処理には、ペット用吸収性シートが使用される。ペット用吸収性シートとしては種々の構成が提案されている。例えば、特開２００３−３２５０６８号に示されたペット用吸収性シートが提案されている。
【０００３】
特開２００３−３２５０６８号に示されたペット用吸収性シートは、両面粘着テープにより、床などの載置対象に接着される。一方、特開２００３−３２５０６８号に示されたペット用吸収性シートの構造にあっては、ペット用吸収性シートを載置対象に接着するにあたり、床の種類により使い分けを行うことができなかった。
【先行技術文献】
【特許文献】
【０００４】
【特許文献１】特開２００３−３２５０６８号公報
【発明の概要】
【発明が解決しようとする課題】
【０００５】
本発明は、このような点に鑑みて創案されたものであり、ペット用吸収性シートに関する一層合理的な構築技術を提供することを目的とする。
【課題を解決するための手段】
【０００６】
上記課題を解決するため、本発明に係るペット用吸収性シートの好ましい形態によれば、液透過性を有する第１シートと、液不透過性を有する第２シートと、前記第１シート及び前記第２シートの間に配置される吸収性コアと、ペットが排泄を行う側の表面である排泄面と、当該排泄領域と対向する表面である載置面と、を有する。
載置面は、粘着剤が塗布されるとともに載置対象に接着可能とされた接着領域を有し、接着領域は、第１接着領域と、当該第１接着領域とは異なる態様で構成された第２接着領域とを有する。
さらに、第１接着領域と第２接着領域を被覆するとともに、前記第１接着領域と前記第２接着領域を所定の順序で露出させる誘導部を有する。
よって、誘導部により、載置対象に対する所望の接着力を容易に選択することが可能となるため、本発明に係るペット用吸収性シートは、ユーザにとって使い勝手が良いものとなる。
【０００７】
本発明に係るペット用吸収性シートのさらなる形態によれば、第１接着領域における接着力は、第２接着領域における接着力よりも弱く形成される。そして当該構成により、第１接着領域は第２接着領域とは異なる態様で構成される。
このように、第１接着領域と第２接着領域の接着力に所定の差異を設けることにより、ユーザの使い勝手がさらに向上する。
【０００８】
本発明に係るペット用吸収性シートのさらなる形態によれば、誘導部は、第１接着領域を先に露出させ、次に第２接着領域を露出させるように形成されている。
すなわち、例えば上述のように第１接着領域が第２接着領域よりも弱い接着力を有する場合、確実に弱い接着力を有する第１接着領域を先に露出させることが可能となる。よって、ユーザは、所望の接着力を容易に得ることが可能となる。
【０００９】
本発明に係るペット用吸収性シートのさらなる形態によれば、誘導部は、接着領域の少なくとも一部に配置される剥離シートを有する。
剥離シートは、一方の面と、当該一方の面と対向する面である他方の面と、を有する。
【００１０】
本発明に係るペット用吸収性シートのさらなる形態によれば、剥離シートは、接着領域に対する接着を抑制する抑制領域を有する。この抑制領域により、接着領域に接着した剥離シートを、容易に接着領域から剥離することが可能となる。
【００１１】
本発明に係るペット用吸収性シートのさらなる形態によれば、剥離シートは、接着領域に対する接着を促進する促進領域を有する。この促進領域により、接着領域から剥離シートを剥離した場合であっても、接着領域から剥離シートが完全に離脱することを防止することが可能となる。
【００１２】
本発明に係るペット用吸収性シートのさらなる形態によれば、ペット用吸収性シートは、第１接着領域と第２接着領域との間で折り曲げられたペットシート折り曲げ部を有する。このペットシート折り曲げ部により、第１接着領域と第２接着領域を折り曲げることなく、ペット用吸収性シート全体を折り曲げることが可能となる。特に、製品を製造し、梱包する際において、本発明に係る機能を損なうことなくペット用吸収性シートのコンパクト化を図ることが可能となる。
【発明の効果】
【００１３】
本発明によれば、ペット用吸収性シートに関する一層合理的な構築技術を提供することが可能となる。
【図面の簡単な説明】
【００１４】
【図１】本発明の基本構成に係るペット用吸収性シートの斜視図である。
【図２】本発明の基本構成に係るペット用吸収性シートの正面図である。
【図３】本発明の基本構成に係るペット用吸収性シートの底面図である。
【図４】剥離シートの斜視図である。
【図５】図５に係るＶＩＩ−ＶＩＩ線断面図である。
【図６】本発明に係るペット用吸収性シートの底面図である。
【図７】本発明の第１実施パターンに係るペット用吸収性シートの説明図である。
【図８】本発明の第１実施パターンに係るペット用吸収性シートの説明図である。
【図９】本発明の第１実施パターンに係るペット用吸収性シートの説明図である。
【図１０】本発明の第１実施パターンに係るペット用吸収性シートの説明図である。
【図１１】本発明の第２実施パターンに係るペット用吸収性シートの説明図である。
【図１２】本発明の第２実施パターンに係るペット用吸収性シートの説明図である。
【図１３】本発明の第２実施パターンに係るペット用吸収性シートの説明図である。
【図１４】本発明の第２実施パターンに係るペット用吸収性シートの説明図である。
【図１５】本発明の第３実施パターンに係るペット用吸収性シートの説明図である。
【図１６】本発明の第３実施パターンに係るペット用吸収性シートの説明図である。
【図１７】本発明の第３実施パターンに係るペット用吸収性シートの説明図である。
【図１８】本発明の第４実施パターンに係るペット用吸収性シートの説明図である。
【図１９】本発明の第４実施パターンに係るペット用吸収性シートの説明図である。
【図２０】本発明の第４実施パターンに係るペット用吸収性シートの説明図である。
【図２１】本発明の第５実施パターンに係るペット用吸収性シートの説明図である。
【図２２】本発明の第５実施パターンに係るペット用吸収性シートの説明図である。
【図２３】本発明の第５実施パターンに係るペット用吸収性シートの説明図である。
【図２４】本発明の第５実施パターンに係るペット用吸収性シートの説明図である。
【図２５】本発明の第６実施パターンに係るペット用吸収性シートの説明図である。
【図２６】本発明の第７実施パターンに係るペット用吸収性シートの説明図である。
【図２７】本発明の第７実施パターンに係るペット用吸収性シートの説明図である。
【図２８】本発明の第８実施パターンに係るペット用吸収性シートの説明図である。
【図２９】本発明の第８実施パターンに係るペット用吸収性シートの説明図である。
【発明を実施するための最良の形態】
【００１５】
以下に、本発明に係るペット用吸収性シートを、図１〜図２９に基づき説明する。本実施の形態における「動物」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００１６】
（全体基本構成）
本発明に係るペット用吸収性シートの基本構成を、図１〜図６に基づき説明する。
ペット用吸収性シート１００は、液透過性を有する表面シート１１０と、液不透過性を有する裏面シート１２０と、表面シート１１０及び裏面シート１２０の間に配置される吸収性コア１３０とを有する。このペット用吸収性シート１００が、本発明に係る「ペット用吸収性シート」の一例である。この表面シート１１０が、本発明に係る「第１シート」の一例である。この裏面シート１２０が、本発明に係る「第２シート」の一例である。この吸収性コア１３０が、本発明に係る「吸収性コア」の一例である。
【００１７】
このペット用吸収性シート１００は、所定の厚みを有する平板状のシートである。ペット用吸収性シート１００は、平坦状に広げられて、裏面シート１２０が載置対象に載置される。この状態は、ペットの排泄物を受ける状態であり、ペット使用モードとされる。ここでいう「ペットの排泄物」は、ペットの屎尿のみならず、唾液や経血等の体液も広く包含する趣旨である。
このペット使用モードにあっては、表面シート１１０が、ペットが排泄を行う側の表面である排泄面１４０を形成する。そして、裏面シート１２０は、排泄面１４０と対向する表面として、載置対象に載置される載置面１５０を形成する。この排泄面１４０が、本発明に係る「排泄面」の一例である。この載置面１５０が、本発明に係る「載置面」の一例である。
【００１８】
載置面１５０が載置される「載置対象」は、ペット用吸収性シート１００を床面等に直接的に敷設する形態や、ペット用吸収性シート１００を保持ホルダに取り付けた状態で当該保持ホルダごと床面等に設置する形態などが包含される。
ペット用吸収性シート１００が載置される床面は、種々の素材、構成が用いられる。例えば、床材の素材としては、ビニールやリノリウム等による合成樹脂によるもの、ワックスや油剤が塗布された木材によるもの、ワックスや油剤が塗布されない木材によるもの、畳に代表される植物繊維によるもの、ループを有する繊維によるもの、ループを有さない繊維によるものが用いられる。
【００１９】
表面シート１１０、裏面シート１２０および吸収性コア１３０の構成自体や、配置形態は周知のペット用吸収性シートの構成を適宜選択することができる。よって、説明の便宜上、表面シート１１０、裏面シート１２０および吸収性コア１３０の構成自体や、配置形態の説明を省略する。
表面シート１１０は、熱可塑性繊維製の不織布にて構成可能であり、例えば、熱可塑性長繊維からなるスパンボンド不織布、熱可塑性短繊維からなるエアスルー不織布、ポイントボンド不織布、または開孔フィルムによって構成することができる。
裏面シート１２０は、液不透過性を確実に担保するべく、特に樹脂フィルムシートによって構成されるのが好ましい。この裏面シート１２０は、例えば、ポリエチレン、ポリプロピレン、ポリエチレンテレフタレートなどのフィルムを用いて構成可能である。また裏面シートに可撓性を持たせる点を考慮した場合には、不織布に撥水剤を塗布したものを用いることもできる。
吸収性コア１３０は、粒子状や繊維状の高吸収性ポリマーとフラッフパルプとの混合物や、粒子状や繊維状の高吸収性ポリマーとフラッフパルプと熱可塑性剛性樹脂繊維との混合物により形成される。
【００２０】
ペット用吸収性シート１００は、矩形（長方形ないし正方形）のシートとして構成されるのが好ましいが、円形、楕円形、多角形としても構成し得る。
本発明に係るペット用吸収性シート１００は長方形であり、長手方向Ｙと、当該長手方向Ｙと交差する方向である長手交差方向Ｘとに延在される。ペット用吸収性シート１００は、長手方向Ｙ上における一対の端部である長手方向端部１００Ｙと、長手交差方向Ｘ上における一対の端部である長手交差方向端部１００Ｘとを有する。
なお、ペット用吸収性シート１００が真円形であり、長手方向Ｙを特定できない場合は、ペット用吸収性シート１００における一方の方向を長手方向Ｙとし、この長手方向Ｙと交差する他方の方向を長手交差方向Ｘとすることができる。
【００２１】
ペット用吸収性シート１００の載置面１５０は、載置対象に接着可能とされた接着領域２００を有する。接着領域２００は、第１接着領域２１０と、第２接着領域２２０とにより構成される。第１接着領域２１０と第２接着領域２２０とは異なる態様で構成される。この接着領域２００が、本発明に係る「接着領域」の一例である。この第１接着領域２１０が、本発明に係る「第１接着領域」の一例である。この第２接着領域２２０が、本発明に係る「第２接着領域」の一例である。
【００２２】
第１接着領域２１０における接着力は、第２接着領域２２０における接着力よりも弱く形成されている。これにより、第１接着領域２１０と第２接着領域２２０とは異なる態様で構成されている。
なお、本発明における「接着力」とは、接着領域２００と、載置対象とを固定する力のみならず、接着領域２００により載置面１５０が載置対象に接着された状態のペット用吸収性シートを、載置対象から剥離する力をも含むものである。すなわち、接着力は、載置対象に接着されたペット用吸収性シートを、載置対象から垂直に引き上げて剥離する際の力や、ペット用吸収性シートの端部（長手方向上の端部１００Ｙ、長手交差方向上の端部１００Ｘ）をユーザが把持し、この端部を斜め上方に引き上げて剥離する際の力を含むものである。
【００２３】
また、接着力が弱い（強い）を決定するにあたっては、接着領域２００と載置対象との相対関係を考慮する必要がある。例えば、後述する通り、複数の接着領域２００の内、一方の接着領域２００が一方の粘着剤２３０を塗布したものであり、他方の接着領域２００が他方の粘着剤２３０を配置した構成を想定する。この場合、例えば、載置対象がビニール製の床材のように平滑である場合において、一方の接着領域２００の方が強い接着力を有するものとする。よって、この場合は、他方の粘着剤２３０を有する他方の接着領域２００が第１接着領域２１０を形成し、一方の粘着剤２３０を有する一方の接着領域２００が第２接着領域２２０を形成する。しかし、載置対象が繊維によりループが形成された床材である場合において、他方の接着領域２００の方が強い接着力を有するものとする。よって、この場合は、一方の粘着剤２３０を有する一方の接着領域２００が第１接着領域２１０を形成し、他方の粘着剤２３０を有する他方の接着領域２００が第２接着領域２２０を形成する。この粘着剤２３０が、本発明に係る「粘着剤」の一例である。
【００２４】
また、例えば、複数の接着領域２００の内、一方の接着領域２００と他方の接着領域とが、一方の載置対象に対して同一の接着力を有する場合が想定される。この場合であっても、他方の載置対象において、一方の接着領域２００と他方の接着領域の接着力が異なるのであれば、第１接着領域２１０と第２接着領域２２０とがそれぞれ形成されるものである。
【００２５】
また、例えば、一方の接着領域２００が他方の接着領域２００に対して、垂直方向の剥離力が強いものの、一方の接着領域２００が他方の接着領域２００に対して斜め上方の剥離力が弱い場合もあり得る。このような場合は、それぞれの場面において、第１接着領域２１０と第２接着領域２２０とがそれぞれ形成されるものである。
【００２６】
なお、本発明においては、説明の便宜上、特に上記のような床材の材質や構成との関係などを考慮せずに、第１接着領域２１０と第２接着領域２２０とを文言として説明し、図面に記載する場合がある。
【００２７】
図３におけるペット用吸収性シート１００にあっては、第１接着領域２１０と、第２接着領域２２０には、ともに粘着剤２３０が配置されている。すなわち、接着領域２００は、粘着剤が塗布された粘着領域２３１により形成されている。この粘着領域２３１が、本発明に係る「粘着領域」の一例である、
粘着剤２３０は、ゴム系、アクリル系エストラマー、アクリル樹脂系のものを使用することができる。また、粘着剤２３０は、エチレン・酢酸ビニルコポリマー（ＥＶＡ）や、ポリオレフィン系のホットメルト型粘着剤を使用することができる。また、粘着剤２３０は、テルペン樹脂などの粘着付与剤（ｔａｃｋｉｆｉｅｒ）として添加した粘着剤を使用することができる。なお、粘着剤２３０は、粘着力により載置対象と固定するためのもののみならず、載置対象との抵抗を増加させる作用を奏すれば足りる場合もある。載置対象との抵抗を増加させる粘着剤２３０としては、ウレタン系のものが好ましい。
【００２８】
隣接する第１接着領域２１０と第２接着領域２２０とは、隣接接着領域２００Ａを形成する。隣接接着領域２００Ａは、ペット用吸収性シート１００の載置面１５０に複数個所配置される。ペット用吸収性シート１００において、長手方向上の端部１００Ｙと長手交差方向上の端部１００Ｘとが交差する部分である角部１００Ｃを含む領域には、角領域１００Ｃ１が形成される。隣接接着領域２００Ａは、角領域１００Ｃ１に配置される。図３におけるペット用吸収性シート１００は長方形であるため、４カ所の角領域１００Ｃ１が形成される。隣接接着領域２００は、４カ所の角領域１００Ｃ１の全てに配置される。
【００２９】
接着領域２００における端部は、ペット用吸収性シート１００の端部と一致している。図３においては、接着領域２００を形成する第１接着領域２１０と第２接着領域２２０とにおける長手方向Ｙ上の端部が、ペット用吸収性シート１００の長手方向上の端部２００Ｙと一致している。これにより、ペット用吸収性シート１００の載置面１５０を、接着領域２００により載置対象に固定した場合、接着領域２００におけるペット用吸収性シート１００の長手方向上の端部１００Ｙが、載置対象に対して密着する。すなわち、接着領域２００におけるペット用吸収性シート１００の長手方向上の端部１００Ｙが、ペットにめくり上げられることを防止することが可能となる。
【００３０】
第１接着領域２１０は、第２接着領域２２０よりも接着力が弱く形成されている。この構成に対する具体的な例を説明する。
例えば、第１接着領域２１０と第２接着領域がともに同一の面積を有しており、さらに同一の組成の粘着剤が塗布されているものとする。このような場合、例えば第１接着領域２１０が形成されるべき粘着領域２３１の一部に対し、エンボス加工を行ったり、パウダー剤を施したり、粘着剤２３０を塗布しないことができる。
また、第１接着領域２１０と第２接着領域２２０とに同一の組成を有する粘着剤２３０が塗布されている場合、第１接着領域２１０を、第２接着領域２２０よりも狭い面積とすることができる。
また、第１接着領域２１０が形成されるべき箇所に対し、第２接着領域２２０の粘着剤２３０よりも弱い接着力を有する粘着剤２３０を塗布することができる。
【００３１】
隣接接着領域２００Ａは、第１接着領域２１０と、第２接着領域２２０とを有する。隣接領域２００Ａにおける第１接着領域２１０と第２接着領域２２０との間には、中間領域２００Ｂが形成される。中間領域２００Ｂは、図３に示す如く、粘着剤２３０が裏面シート１２０に塗布されていない領域とすることができる。また、第１接着領域２１０と第２接着領域２２０とが接合している場合は、中間領域２００Ｂは、第１接着領域２１０と第２接着領域２２０の境界部分とされる。
【００３２】
ペット用吸収性シート１００を載置対象に接着する状態（ペット使用モード）における第１接着領域２１０と第２接着領域２２０との位置関係に基づき、第１接着領域２１０の構成を説明する。
第１接着領域２１０は、中間領域２００Ｂを挟んで第２接着領域２２０と隣接する端部である隣接端部２１１を有する。第１接着領域２１０は、隣接端部２１１と対向する端部である離間端部２１２を有する。離間端部２１２は、第１接着領域２１０において第２接着領域２２０から最も離間した位置の端部である。第１接着領域２１０において、隣接端部２１１を有する領域は隣接端部領域２１１１とされる。第１接着領域２１０において、離間端部２１２を有する領域は離間端部領域２１２１とされる。
【００３３】
ペット用吸収性シート１００を載置対象に接着する状態（ペット使用モード）における第１接着領域２１０と第２接着領域２２０との位置関係に基づき、第２接着領域２２０の構成を説明する。
第２接着領域２２０は、中間領域２００Ｂを挟んで第１接着領域２１０と隣接する端部である隣接端部２２１を有する。第２接着領域２２０は、隣接端部２２１と対向する端部である離間端部２２２を有する。離間端部２２２は、第２接着領域２２０において第１接着領域２１０から最も離間した位置の端部である。第２接着領域２２０において、隣接端部２２１を有する領域は隣接端部領域２２１１とされる。第２接着領域２２０において、離間端部２２２を有する領域は離間端部領域２２２１とされる。
【００３４】
図４および図５は、接着領域２００に配置される剥離シート３００を示す。剥離シート３００は、第１剥離シート面３１０と、第１剥離シート面３１０と対向する面である第２剥離シート面３２０とを有する。この剥離シート３００が、本発明に係る「剥離シート」の一例である。この第１剥離シート面３１０が、本発明に係る「一方の面」の一例である。この第２剥離シート面３２０が、本発明に係る「他方の面」の一例である。
【００３５】
剥離シート３００は、剥離シート本体３３０を有する。剥離シート本体３３０は、半晒紙や、上質紙や、グラシン紙等が使用される。
【００３６】
後述する通り、剥離シート３００には接着領域２００に対する接着を抑制する抑制領域３４０が形成される。この抑制領域３４０が、本発明に係る「抑制領域」の一例である。
抑制領域３４０は、シリコーン樹脂が使用される。なお、図示しないが、剥離シート本体３３０と、抑制領域３４０との間には、抑制領域３４０のシリコーン樹脂が剥離シート本体３３０に含浸しないよう、目止め層が設けられる。目止め層は、ポリエチレンや、クレーコートや、ポリビニルアルコール等が使用される。
【００３７】
後述する通り、剥離シート３００には接着領域２００に対する接着を促進する促進領域３５０が形成される。この促進領域３５０が、本発明に係る「促進領域」の一例である。
促進領域３５０は、剥離シート本体３３０に抑制領域３４０を設けないことにより形成される。また、促進領域３５０は、剥離シート本体３３０に粘着剤を塗布することにより形成される。
【００３８】
図６は使用前のペット用吸収性シート１００を示す図である。
使用前のペット用吸収性シートにおいて、接着領域２００には剥離シート３００が配置される。すなわち、ユーザがペット用吸収性シートを使用するにあたっては、接着領域２００から、剥離シート３００を剥離させる。そして、接着領域２００を載置対象に接着することにより、ペット用吸収性シート１００と載置対象とを固定する。
【００３９】
接着領域２００から剥離シート３００を剥離する場合においては、後述する誘導部４００により、第１接着領域２１０と第２接着領域２２０とが所定の順序で露出される。この際、誘導部４００は、第１接着領域２１０を先に露出させ、次に第２接着領域２２０を露出させるように構成するのが好ましい。誘導部４００は、剥離シート３００そのものの構成や、剥離シート３００及び他の構成との組み合わせにより形成される。この誘導部４００が、本発明に係る「誘導部」の一例である。
【００４０】
図６は使用前のペット用吸収性シート１００を示す図であるが、ペット用吸収性シート１００を包装体から取り出した直後においては、ペット用吸収性シート１００は、全体折り曲げ線１６０により折り畳まれている。全体折り曲げ線１６０は、接着領域２００の中間領域２００Ｂを通過すべく、長手方向Ｙに沿った方向にて設けられる。この結果、剥離シート３００が第１接着領域２１０と第２接着領域２００に亘って設けられている場合は、全体折り曲げ線１６０は、剥離シート３００も同時に折り曲げる。すなわち、剥離シート３００が第１接着領域２１０と第２接着領域２００に亘って設けられている場合は、全体折り曲げ線１６０により、ペット用吸収性シート１６０にはペットシート折り曲げ部１６１が形成され、剥離シート３００には剥離シート中間折り曲げ部３７２が設けられる。このペットシート折り曲げ部１６１が、本発明に係る「ペットシート折り曲げ部」の一例である。
【００４１】
なお、例えば剥離シート３００が第１接着領域２１０もしくは第２接着領域２２０の一方のみを覆う面積である場合、剥離シート３００に剥離シート中間折り曲げ部３７２が形成されない場合がある。このような場合、全体折り曲げ線１６０は、ペットシート折り曲げ部１６１のみを形成する。
なお、ペット用吸収性シート１００を包装体に梱包するために、ペット用吸収性シート１００は、全体折り曲げ線１６１のみではなく、他の折り曲げ線によって折り畳まれることがある。
【００４２】
ユーザは、剥離シート３００を剥離するにあたり、ペット用吸収性シート１００と載置対象の接着力を適宜選択することができる。
すなわち、例えば、ペット用吸収性シート１００を載置対象から取り外す際の容易さを重視するのであれば、誘導部４００により、接着領域２００における第１接着領域２１０のみを露出させる。この場合は、第１接着領域２１０に配置されている剥離シート３００を、接着領域２００から剥離する。そして、第１接着領域２１０を載置対象に接着する。
また、ペット用吸収性シート１００と載置対象との固定強度を重視するのであれば、誘導部４００により、接着領域２００における第１接着領域２１０と第２接着領域２２０の双方を露出させる。この場合は、第２接着領域２２０に配置されている剥離シート３００を、接着領域２００から剥離する。そして、第１接着領域２１０と第２接着領域２２０とを載置対象に固定する。
【００４３】
本発明に係るペット用吸収性シート１００においては、上述の通り、ペット用吸収性シート１００と載置対象とを、所望の接着力にて固定することが可能となる。よって、ペット用吸収性シート１００は、ユーザにとって使い勝手がよいものとなる。
【００４４】
以下、図７〜図２９に基づき、本発明に係る第１実施パターン〜第８実施パターンを説明する。なお、第１実施パターン〜第８実施パターンの説明において、上記した基本構成に係るペット用吸収性シート１００と同様の構成を有する構成要素や、他の実施パターンと同様の構成を有する構成要素は、その説明、図面符号などを省略する。
【００４５】
（第１基本構成）
第１基本構成に係る構成を、図７〜図１４に基づき説明する。第１基本構成に係る具体的な構成は、第１実施パターンと第２実施パターンに基づき説明される。図７〜図１０は第１実施パターンの説明図である。図１１〜図１４は第２実施パターンの説明図である。
まず、第１基本構成における第１実施パターンと第２実施パターンに共通する構成につき説明する。
【００４６】
第１基本構成において、誘導部４００を形成する剥離シート３００は、第１接着領域２１０と第２接着領域２２０の双方を覆う面積を有している。剥離シート３００は、第１剥離シート面３１０に設けられた抑制領域３４０を有する。抑制領域３４０は、剥離シート３００を接着領域２００に接着した状態において、第１接着領域２１０と剥離可能に接着される第１抑制領域３４１と、第２接着領域２２０と剥離可能に接着される第２抑制領域３４２とを有する。
このように形成された剥離シート３００により、誘導部４００は、先に第１接着領域２１０と第１抑制領域３４１とを剥離させ、次に第２接着領域２２０と第２抑制領域３４２とを剥離させるよう形成されている。
【００４７】
さらに剥離シート３００は、促進領域３５０を有する。促進領域３５０は、剥離シート３００における第２接着領域２２０と接着される領域に形成される。
さらに剥離シート３００は、第１接着領域２１０の離間端部２１２を超えて延在される領域を有する。
剥離シート３００は、それぞれ対向する端部３６０を有する。端部３６０の内、促進領域３５０が形成されている方向の端部３６０は固定端部３６２とされる。また、第１接着領域２１０の離間端部２１２を超えて延在された領域側の端部３６０は、剥離開始端部３６１とされる。
剥離シート３００において、固定端部３６２を含む領域は、固定領域３６２Ａとされる。固定領域３６２Ａは、促進領域３５０を有する領域である。
また、剥離開始端部３６１を含む領域は、剥離開始領域３６１Ａとされる。剥離開始領域３６１Ａは、剥離シート３００における第１接着領域２１０の離間端部２１２を超えて延在された領域を有する領域である。
【００４８】
剥離シート３００は、全体折り曲げ線１６０により、剥離シート中間折り曲げ部３７２を有する。剥離シート中間折り曲げ部３７２は、第１接着領域２１０と第２接着領域２２０との間に形成された中間領域２００Ｂに形成される。すなわち、剥離シート３００において、剥離シート中間折り曲げ部３７２は、第１抑制領域３４１と第２抑制領域３４２の境界とされる。この剥離シート中間折り曲げ部３７２が、本発明に係る「剥離シート中間折り曲げ部」の一例である。
【００４９】
（第１実施パターン）
図７〜図１０に基づき、第１実施パターンに係るペット用吸収性シート１００１の構成を説明する。図７は、ユーザがペット用吸収性シート１００１を包装体から取り出した直後における接着領域２００を拡大した断面図である。ペット用吸収性シート１００１は、全体折り曲げ線１６０によって折り曲げられている。
【００５０】
ペット用吸収性シート１００１における剥離シート３００は、第２抑制領域３４２側の領域における第２剥離シート面３２０に促進領域３５０が設けられている。促進領域３５０は、第２接着領域２２０における離間端部領域２２２１に接着される。
このように形成された剥離シート３００を、第１剥離シート折り曲げ部３７１により折り返す。第１剥離シート折り曲げ部３７１が設けられる剥離シート３００の位置は、第２接着領域２２０の離間端部２２２近傍であって、固定領域３６２Ａから外れた部分である。これによって、剥離シート３００の第１剥離シート面３１０が接着領域２００へ向けられる。
【００５１】
ペット用吸収性シート１００１を使用するに際しては、図８に示す通り、全体折り曲げ線１６０によって折り曲げられていたペット用吸収性シート１００１を展開する。
そしてユーザは、剥離開始端部３６１に指を掛け、剥離シート３００の第１抑制領域３４１を第１接着領域２１０から剥離する。なお、第１抑制領域３４１と第１接着領域２１０との剥離作業においては、ユーザは、剥離開始領域３６１Ａを撮んで操作することもできる。
なお、剥離シート３００は剥離シート中間折り曲げ部３７２により折り癖が設けられている。よって、図９に示す通り、第１抑制領域３４１と第１接着領域２１０とが剥離した状態においては、剥離開始端部３６１は第２接着領域２２０側に位置される。すなわち、第１抑制領域３４１が第１接着領域２１０と接触し難い状態となる。
【００５２】
ユーザが、第１接着領域２１０のみを載置箇所に接着したいと考えた場合は、図９に示される、第１接着領域２１０から第１抑制領域３４１を剥離した状態を形成する。この状態により、ペット用吸収性シート１００１を第１接着領域２１０によって載置箇所に接着することができる。
【００５３】
一方、ユーザが、ペット用吸収性シート１００１を、さらに載置箇所に対し強く接着したいと考える場合がある。そのような場合は、図１０に示す如く剥離シートの第２抑制領域３４２を第２接着領域２２０から剥離する。このような状況においては、ペット用吸収性シート１００１の載置面１５０に第１接着領域２１０と第２接着領域２２０との双方が露出される。よって、ユーザは、ペット用吸収性シート１００１の第１接着領域２１０と第２接着領域２２０とを載置箇所に対し接着することが可能となる。
【００５４】
なお、剥離シート３００の第１抑制領域３４１と第２抑制領域３４２が接着領域２００から剥離されている場合であっても、剥離シート３００の第２剥離シート面３２０に形成された固定領域３６２Ａが、第２接着領域２２０に対し固定されている。よって、剥離シート３００がペット用吸収性シート１００１から完全に離脱することはない。すなわち、ユーザは、剥離シート３００を廃棄する必要が無いため、ペット用吸収性シート１００１の使い勝手が向上する。
【００５５】
上述したように、第１実施パターンに係るペット用吸収性シート１００１の剥離シート３００は、先に第１接着領域２１０と第１抑制領域３４１とを剥離させ、次に第２接着領域２２０と第２抑制領域３４２とを剥離させる誘導部４００を形成する。よって、第１実施パターンに係るペット用吸収性シート１００１は、上述した全体基本構成に係るペット用吸収性シート１００の作用および効果を奏することができる。
【００５６】
（第２実施パターン）
図１１〜図１４に基づき、第２実施パターンに係るペット用吸収性シート１００２の構成を説明する。図１１は、ユーザがペット用吸収性シート１００２を包装体から取り出した直後における接着領域２００を拡大した断面図である。ペット用吸収性シート１００２は、全体折り曲げ線１６０によって折り曲げられている。
【００５７】
ペット用吸収性シート１００２における剥離シート３００は、第２抑制領域３４２側の領域における第１剥離シート面３１０に促進領域３５０が設けられている。促進領域３５０は、第２接着領域２２０における離間端部領域２２２１に接着される。
【００５８】
ペット用吸収性シート１００２を使用するに際しては、図１２に示す通り、折り曲げ線１６０によって折り曲げられていたペット用吸収性シート１００２を展開する。
そしてユーザは、剥離開始端部３６１に指を掛け、剥離シート３００の第１抑制領域３４１を第１接着領域２１０から剥離する。なお、第１抑制領域３４１と第１接着領域２１０との剥離作業においては、ユーザは、剥離開始領域３６１Ａを撮んで操作することもできる。
なお、剥離シート３００は剥離シート中間折り曲げ部３７２により折り癖が設けられている。よって、図１３に示す通り、第１抑制領域３４１と第１接着領域２１０とが剥離した状態においては、剥離開始端部３６１は第２接着領域２２０側に位置される。すなわち、第１抑制領域３４１が第１接着領域２１０と接触し難い状態となる。
【００５９】
ユーザが、第１接着領域２１０のみを載置箇所に接着したいと考えた場合は、図１３に示される、第１接着領域２１０から第１抑制領域３４１を剥離した状態を形成する。この状態により、ペット用吸収性シート１００２を第１接着領域２１０によって載置箇所に接着することができる。
【００６０】
一方、ユーザが、ペット用吸収性シート１００２を、さらに載置箇所に対し強く接着したいと考える場合がある。そのような場合は、図１４に示す如く剥離シートの第２抑制領域３４２を第２接着領域２２０から剥離する。このような状況においては、ペット用吸収性シート１００２の載置面１５０に第１接着領域２１０と第２接着領域２２０との双方が露出される。よって、ユーザは、ペット用吸収性シート１００２の第１接着領域２１０と第２接着領域２２０とを載置箇所に対し接着することが可能となる。
【００６１】
なお、剥離シート３００の第１抑制領域３４１と第２抑制領域３４２が接着領域２００から剥離されている場合であっても、剥離シート３００の第１剥離シート面３１０に形成された固定領域３６２Ａが、第２接着領域２２０に対し固定されている。よって、剥離シート３００がペット用吸収性シート１００２から完全に離脱することはない。すなわち、ユーザは、剥離シート３００を廃棄する必要が無いため、ペット用吸収性シート１００２の使い勝手が向上する。
【００６２】
上述したように、第２実施パターンに係るペット用吸収性シート１００２の剥離シート３００は、先に第１接着領域２１０と第１抑制領域３４１とを剥離させ、次に第２接着領域２２０と第２抑制領域３４２とを剥離させる誘導部４００を形成する。よって、第２実施パターンに係るペット用吸収性シート１００２は、上述した全体基本構成に係るペット用吸収性シート１００の作用および効果を奏することができる。
【００６３】
なお、上述した第１実施パターンおよび第２実施パターンにおいては、固定領域３６２Ａが第２接着領域２２０に形成されている例を説明した。一方、例えば剥離シート３００を延設することにより、固定領域３６２Ａを載置面１５０に配置することも可能である。このように構成されたペット用吸収性シートは、第２接着領域２２０を露出させた後であっても、剥離シート３００がペット用吸収性シートから脱落しないという、第１実施パターンおよび第２実施パターンと同等の作用および効果を有する。
【００６４】
一方、剥離シート３００に促進領域３５０を設けない構成とすることもできる。このような構成においては、第２接着領域２２０を露出させた後、剥離シート３００がペット用吸収性シートから脱落する。よって、このような構成においては、第１実施パターンおよび第２実施パターンに係る説明の内、剥離シート３００がペット用吸収性シートから脱落しないという作用および効果は奏さないものの、その他の作用および効果を奏することが可能となる。
【００６５】
（第２基本構成）
第２基本構成に係る構成を、図１５〜図２０に基づき説明する。第２基本構成に係る具体的な構成は、第３実施パターンと第４実施パターンに基づき説明される。図１５〜図１７は第３実施パターンの説明図である。図１８〜図２０は第４実施パターンの説明図である。
まず、第２基本構成における第３実施パターンと第４実施パターンに共通する構成につき説明する。
【００６６】
第２基本構成において、誘導部４００を形成する剥離シート３００は、第１接着領域２１０と第２接着領域２２０の内、広い方を覆うことができる面積を有している。剥離シート３００は、その両面に抑制領域３４０が形成されている。すなわち、剥離シート３００の第１剥離シート面３１０には、第１接着領域２１０と接着される第１抑制領域３４１が形成される。また、第２剥離シート面３２０には、第２接着領域２２０と接着される第２抑制領域３４２が形成される。
【００６７】
さらに剥離シート３００は、促進領域３５０を有する。促進領域３５０は、剥離シート３００における第２接着領域２２０と接着される領域に形成される。
さらに剥離シート３００は、第２接着領域２２０の隣接端部２２１を超えて延在される領域を有する。
剥離シート３００における、固定端部３６２、剥離開始端部３６１、固定領域３６２Ａ、剥離開始領域３６１Ａは、上述した第１基本構成に係るペット用吸収性シートと同様に、第２基本構成に係るペット用吸収性シートにも形成される。
【００６８】
なお、第２基本構成に係るペット用吸収性シートにおいて、第１接着領域２１０と第２接着領域２２０とに塗布される粘着剤２３０は、それぞれ異なる組成のものが使用される。すなわち、第１接着領域２１０よりも、第２接着領域２２０の方が高い接着力を有するように粘着剤２３０が選択される。
【００６９】
このように構成された第２基本構成に係るペット用吸収性シートを製造するにあたっては、まず、ペット用吸収性シートを平坦状に広げた状態において、第２接着領域２２０に剥離シート３００の促進領域３５０を固定する。この際、剥離シート３００の第２抑制領域３４２が、第２接着領域２２０に接着される。
次に、全体折り曲げ線１６０によりペット用吸収性シートを折り返す。ペット用吸収性シートを折り返すことにより、第１接着領域２１０が、剥離シート３００の第１抑制領域３４１に接着される。
【００７０】
（第３実施パターン）
図１５〜図１７に基づき、第３実施パターンに係るペット用吸収性シート１００３の構成を説明する。なお、図１５においては、説明の便宜上、第３実施パターンを説明する他の図（図１６〜図１７）と比して、第１接着領域２１０の形状を変形させて描いている。図１５は、ユーザがペット用吸収性シート１００３を包装体から取り出した直後における接着領域２００を拡大した断面図である。ペット用吸収性シート１００３は、全体折り曲げ線１６０によって折り曲げられている。
【００７１】
ペット用吸収性シート１００３における剥離シート３００は、第１剥離シート面３１０に促進領域３５０が設けられている。促進領域３５０は、第２接着領域２２０における離間端部領域２２２１に接着される。
このように形成された剥離シート３００を、第２剥離シート折り曲げ部３７３により折り返す。第２剥離シート折り曲げ部３７３が設けられる剥離シート３００の位置は、第２接着領域２２０の離間端部２２２近傍であって、固定領域３６２Ａから外れた部分である。これによって、剥離シート３００の第１剥離シート面３１０が第１接着領域２１０へ向けられる。
上述した通り、ペット用吸収性シート１００３が全体折り曲げ線１６０にて折り返されることにより、第１接着領域２１０が剥離シート３００の第１抑制領域３４１に接着し、第２接着領域２２０が剥離シート３００の第２抑制領域３４２に接着される。
【００７２】
ペット用吸収性シート１００３を使用するに際しては、図１６に示す通り、全体折り曲げ線１６０によって折り曲げられていたペット用吸収性シート１００３を展開する。
この際、第２接着領域２２０の接着力が、第１接着領域２１０の接着力よりも強く形成されている。よって、剥離シート３００の第１抑制領域３４１が、第１接着領域２１０から剥離される。すなわち、ユーザは、ペットシート折り曲げ部１６１によって折り曲げられていたペット用吸収性シート１００３を展開する作業によって、第１接着領域２１０を露出させることができる。
【００７３】
ユーザが、第１接着領域２１０のみを載置箇所に接着したいと考えた場合は、図１６に示される、第１接着領域２１０から第１抑制領域３４１を剥離した状態を形成する。この状態により、ペット用吸収性シート１００３を第１接着領域２１０によって載置箇所に接着することができる。
【００７４】
一方、ユーザが、ペット用吸収性シート１００３を、さらに載置箇所に対し強く接着したいと考える場合がある。そのような場合は、図１７に示す如く剥離シート３００の第２抑制領域３４２を第２接着領域２２０から剥離する。このような状況においては、ペット用吸収性シート１００３の載置面１５０に、第１接着領域２１０と第２接着領域２２０との双方が露出される。よって、ユーザは、ペット用吸収性シート１００３の第１接着領域２１０と第２接着領域２２０とを載置箇所に対し接着することが可能となる。
【００７５】
なお、剥離シート３００の第１抑制領域３４１と第２抑制領域３４２が接着領域２００から剥離されている場合であっても、剥離シート３００の第１剥離シート面３１０に形成された固定領域３６２Ａが、第２接着領域２２０に対し固定されている。よって、剥離シート３００がペット用吸収性シート１００３から完全に離脱することはない。すなわち、ユーザは、剥離シート３００を廃棄する必要が無いため、ペット用吸収性シート１００３の使い勝手が向上する。
【００７６】
上述したように、第３実施パターンに係るペット用吸収性シート１００３の剥離シート３００は、先に第１接着領域２１０と第１抑制領域３４１とを剥離させ、次に第２接着領域２２０と第２抑制領域３４２とを剥離させる誘導部４００を形成する。よって、第３実施パターンに係るペット用吸収性シート１００３は、上述した全体基本構成に係るペット用吸収性シート１００の作用および効果を奏することができる。
【００７７】
（第４実施パターン）
図１８〜図２０に基づき、第４実施パターンに係るペット用吸収性シート１００４の構成を説明する。図１８は、ユーザがペット用吸収性シート１００４を包装体から取り出した直後における接着領域２００を拡大した断面図である。ペット用吸収性シート１００４は、全体折り曲げ線１６０によって折り曲げられている。
【００７８】
ペット用吸収性シート１００４における剥離シート３００は、第２剥離シート面３２０に促進領域３５０が設けられている。促進領域３５０は、第２接着領域２２０における離間端部領域２２２１に接着される。
上述した通り、ペット用吸収性シート１００４が全体折り曲げ線１６０にて折り返されることにより、第１接着領域２１０が剥離シート３００の第１抑制領域３４１に接着し、第２接着領域２２０が剥離シート３００の第２抑制領域３４２に接着される。
【００７９】
ペット用吸収性シート１００４を使用するに際しては、図１８に示す通り、ペットシート折り曲げ部１６１によって折り曲げられていたペット用吸収性シート１００４を展開する。
この際、第２接着領域２２０の接着力が、第１接着領域２１０の接着力よりも強く形成されている。よって、剥離シート３００の第１抑制領域３４１が、第１接着領域２１０から剥離される。すなわち、ユーザは、ペットシート折り曲げ部１６１によって折り曲げられていたペット用吸収性シート１００４を展開する作業によって、第１接着領域２１０を露出させることができる。
【００８０】
ユーザが、第１接着領域２１０のみを載置箇所に接着したいと考えた場合は、図１９に示される、第１接着領域２１０から第１抑制領域３４１を剥離した状態を形成する。この状態により、ペット用吸収性シート１００４を第１接着領域２１０によって載置箇所に接着することができる。
【００８１】
一方、ユーザが、ペット用吸収性シート１００４を、さらに載置箇所に対し強く接着したいと考える場合がある。そのような場合は、図２０に示す如く剥離シート３００の第２抑制領域３４２を第２接着領域２２０から剥離する。このような状況においては、ペット用吸収性シート１００４の載置面１５０に、第１接着領域２１０と第２接着領域２２０との双方が露出される。よって、ユーザは、ペット用吸収性シート１００４の第１接着領域２１０と第２接着領域２２０とを載置箇所に対し接着することが可能となる。
【００８２】
なお、剥離シート３００の第１抑制領域３４１と第２抑制領域３４２が接着領域２００から剥離されている場合であっても、剥離シート３００の第２剥離シート面３２０に形成された固定領域３６２Ａが、第２接着領域２２０に対し固定されている。よって、剥離シート３００がペット用吸収性シート１００４から完全に離脱することはない。すなわち、ユーザは、剥離シート３００を廃棄する必要が無いため、ペット用吸収性シート１００４の使い勝手が向上する。
【００８３】
上述したように、第５実施パターンに係るペット用吸収性シート１００３の剥離シート３００は、先に第１接着領域２１０と第１抑制領域３４１とを剥離させ、次に第２接着領域２２０と第２抑制領域３４２とを剥離させる誘導部４００を形成する。よって、第４実施パターンに係るペット用吸収性シート１００４は、上述した全体基本構成に係るペット用吸収性シート１００の作用および効果を奏することができる。
【００８４】
なお、上述した第３実施パターンおよび第４実施パターンにおいては、固定領域３６２Ａが第２接着領域２２０に形成されている例を説明した。一方、例えば剥離シート３００を延設することにより、固定領域３６２Ａを載置面１５０に配置することも可能である。このように構成されたペット用吸収性シートは、第２接着領域２２０を露出させた後であっても、剥離シート３００がペット用吸収性シートから脱落しないという、第３実施パターンおよび第４実施パターンと同等の作用および効果を有する。
【００８５】
一方、剥離シート３００に促進領域３５０を設けない構成とすることもできる。このような構成においては、第２接着領域２２０を露出させた後、剥離シート３００がペット用吸収性シートから脱落する。よって、このような構成においては、第３実施パターンおよび第４実施パターンに係る説明の内、剥離シート３００がペット用吸収性シートから脱落しないという作用および効果は奏さないものの、その他の作用および効果を奏することが可能となる。
【００８６】
（第３基本構成）
第３基本構成に係る構成を、図２１〜図２４に基づき説明する。第３基本構成に係る具体的な構成は、第５実施パターンに基づき説明される。
【００８７】
第３基本構成において、誘導部４００を形成する剥離シート３００には、表示部４１０が形成されている。表示部４１０は、抑制領域３４０が設けられている面と対向する面に設けられる。すなわち、剥離シート３００において、抑制領域３４０が第１剥離シート面３１０に設けられている場合においては、表示部は第２剥離シート面３２０に設けられる。表示部４１０は、第１抑制領域３４１と対向する剥離シート３００の面上に形成される第１表示部４１１と、第２抑制領域３４２と対向する剥離シート３００の面上に形成される第２表示部４１２とにより形成される。
【００８８】
第１表示部４１１は、第１表示部４１１が形成されている剥離シート３００が、第１接着領域２１０に接着されていることを表示する。また、第２表示部４１２は、第２表示部４１２が形成されている剥離シート３００が、第２接着領域２２０に接着されていることを表示する。この表示は、文字、図形、記号などを単独で用いたり、それぞれを組み合わせることにより形成される。そして、この表示は、第１表示部４１１が形成されている剥離シート３００を先に剥離し、次に第２表示部４１２が形成されている剥離シート３００を剥離することを示すように形成される。このような表示は、具体的には、例えば第１表示部４１１に「剥離順番１」と示し、第２表示部４１２に「剥離順番２」と示すことにより達成される。
表示部４１０をこのように形成することにより、誘導部４００は、第１接着領域２１０を先に露出させ、次に第２接着領域２２０を露出させるように形成される。
【００８９】
（第５実施パターン）
図２１〜図２４に基づき、第５実施パターンに係るペット用吸収性シート１００５の構成を説明する。ペット用吸収性シート１００５を包装体から取り出した直後においては、ペット用吸収性シート１００５は、ペットシート折り曲げ線１６１により折り曲げられた状況にある。図２１は、ペットシート折り曲げ線１６１により折り曲げられたペット用吸収性シート１００５が、平坦状に展開されている状態を示す。
【００９０】
剥離シート３００は、第１接着領域２１０に接着される第１剥離シート３００Ａと、第２接着領域２２０に接着される第２剥離シート３００Ｂとにより形成される。第１剥離シート３００Ａは、第１剥離シート面３１０に第１抑制領域３４１を有し、第２剥離シート面３２０に第１表示部４１１を有する。第２剥離シート３００Ｂは、第１剥離シート面３１０に第２抑制領域３４２を有し、第２剥離シート面３２０に第２表示部４１２を有する。
【００９１】
ペット用吸収性シート１００５を使用するに際しては、図２２に示す通り、ペットシート折り曲げ部１６１によって折り曲げられていたペット用吸収性シート１００５を展開する。
そして、図２３に示す通り、ユーザは、第１表示部４１１の表示に従い、第１剥離シート３００Ａを、第１接着領域２１０から剥離する。この結果、第１接着領域２１０が露出される。
【００９２】
ユーザが、第１接着領域２１０のみを載置箇所に接着したいと考えた場合は、図２３に示される、第１接着領域２１０から第１抑制領域３４１を剥離した状態を形成する。この状態により、ペット用吸収性シート１００５を第１接着領域２１０によって載置箇所に接着することができる。
【００９３】
一方、ユーザが、ペット用吸収性シート１００５を、さらに載置箇所に対し強く接着したいと考える場合がある。このような場合、図２４に示す通り、ユーザは、第２表示部４１２の表示に従い、第２剥離シート３００Ｂを、第２接着領域２２０から剥離する。この結果、第２接着領域２２０が露出される。
このような状況においては、ペット用吸収性シート１００５の載置面１５０に、第１接着領域２１０と第２接着領域２２０との双方が露出される。よって、ユーザは、ペット用吸収性シート１００５の第１接着領域２１０と第２接着領域２２０とを載置箇所に対し接着することが可能となる。
【００９４】
上述したように、第５実施パターンに係るペット用吸収性シート１００５の剥離シート３００は、先に第１接着領域２１０と第１抑制領域３４１とを剥離させ、次に第２接着領域２２０と第２抑制領域３４２とを剥離させる誘導部４００を形成する。よって、第５実施パターンに係るペット用吸収性シート１００５は、上述した全体基本構成に係るペット用吸収性シート１００の作用および効果を奏することができる。
【００９５】
なお、上述した第５実施パターンにおいては、表示部４１０は、第１表示部４１１と第２表示部４１２とにより形成されていた。一方、表示部４１０として単一の構成とすることができる。この場合、例えば表示部４１０を第１剥離シート３００Ａに設ける場合は、表示部４１０の表示を「この剥離シートを先に剥離して下さい」というような文言にて形成することができる。一方、例えば表示部４１０を第２剥離シート３００Ｂに設ける場合は、表示部４１０の表示を「この剥離シートを第１剥離シート３００Ａの次に剥離して下さい」というような文言にて形成することができる。
【００９６】
（第４基本構成および第６実施パターン）
第４基本構成に係る構成を、図２５に基づき説明する。第４基本構成に係る具体的な構成は、第６実施パターンに基づき説明される。
【００９７】
第４基本構成は、接着領域２００の配置形態に関する。
上述した基本構成に係るペット用吸収性シート１００においては、接着領域２００の長手方向Ｙ上の端部と、ペット用吸収性シート１００の長手方向Ｙ上の端部１００Ｙとが一致した構成を説明した。一方、ペット用吸収性シートに対する接着領域２００の配置構造は、これに限るものではない。
【００９８】
図２５は、第４基本構成に係る第６実施パターンのペット用吸収性シート１００６を示す図である。
ペット用吸収性シート１００６は、接着領域２００における長手方向Ｙ上の端部と長手交差方向Ｘ上の端部が、ペット用吸収性シート１００６における長手方向Ｙ上の端部１００Ｙと長手交差方向Ｘ上の端部１００Ｘのそれぞれと一致している。この場合、ペット用吸収性シート１００６の角部１００Ｃに対し、接着領域２００が形成される。
このような構成の場合、基本構成のペット用吸収性シート１００と比して、ペット用吸収性シート１００６の端部１００Ｙ、１００Ｘを含む領域において、接着領域２００が形成されていない領域を減少させることができる。よって、ペットがペット用吸収性シート１００６を剥離しようとするいたずらが、より困難なものとなる。
【００９９】
なお、接着領域２００の長手交差方向Ｘ上の端部と、ペット用吸収性シート１の長手交差方向Ｘ上の端部１００Ｘのみが一致する構成とすることも可能である。
【０１００】
（第５基本構成）
第５基本構成に係る構成を、図２６〜図２９に基づき説明する。第５基本構成に係る具体的な構成は、第７実施パターンと第８実施パターンに基づき説明される。図２６〜図２７は第７実施パターンの説明図である。図２８〜図２９は第８実施パターンの説明図である。第７実施パターンおよび第８実施パターンは、隣接接着領域２００Ａにおける、第１接着領域２１０と第２接着領域２２０の配置形態に関する。
【０１０１】
（第７実施パターン）
第７実施パターンに係るペット用吸収性シート１００７の構成を、図２６〜図２７に基づき説明する。
ペット用吸収性シート１００７は、端部領域（図示せず）から央部領域（図示せず）へと向かう方向である内側方向１００Ｕと、央部領域から端部領域へと向かう方向である外側方向１００Ｓとに規定される。なお、端部領域とは、ペット用吸収性シートにおいて、長手方向上の端部１００Ｙもしくは長手交差方向上の端部Ｘを含む領域である。央部領域とは、ペット用吸収性シート上の領域における、長手方向Ｙと長手交差方向Ｘの中心点を含むとともに、端部領域を含まない領域である。
【０１０２】
ペット用吸収性シート１００７は、複数個の隣接接着領域２００Ａを有する。図２６および図２７におけるペット用吸収性シート１００７には、４個の隣接接着領域２００Ａが形成されている。一方、隣接接着領域２００Ａは複数個形成されていれば足りるものである。すなわち、隣接接着領域２００Ａは、実現すべきペット用吸収性シートにより任意の個数が形成される。
【０１０３】
第７実施パターンに係るペット用吸収性シート１００７においては、複数個の隣接接着領域２００Ａにおいて、第１接着領域２１０が外側方向１００Ｓに配置されている部分を有する。この際、ペット用吸収性シート１００７においては、４個の隣接接着領域２００Ａの全てにおいて、第１接着領域２１０が外側方向１００Ｓに配置されている。
【０１０４】
第７実施パターンに係るペット用吸収性シート１００７においては、第１接着領域２１０と第２接着領域２２０とは、ともに粘着剤２３０が塗布されている。そして、粘着剤２３０としては、第２接着領域２２０の方が、第１接着領域２１０よりも強い接着力となるものが使用される。
【０１０５】
なお、ペット用吸収性シート１００７にあっては、接着力の弱い第１接着領域２１０が外側方向１００Ｓに配置されている。ここで、ペット用吸収性シート１００７の端部領域が載置対象に接着していた方が、ペット用吸収性シート１００７のめくれ防止には好適である。よって、第１接着領域２１０と第２接着領域２２０の内、第１接着領域２１０を先に露出させることが好ましい。
【０１０６】
図２７は、ペット用吸収性シート１００７の接着領域２００に、剥離シート３００を配置した状態を示す。ペット用吸収性シート１００７の剥離シート３００として、上述した誘導領域４００が適宜選択され、使用される。この誘導領域４００により、第１接着領域２１０と第２接着領域２２０とを確実に露出させるとともに、載置対象に接着することが可能となる。
【０１０７】
（第８実施パターン）
第８実施パターンに係るペット用吸収性シート１００８の構成を、図２８〜図２９に基づき説明する
第８実施パターンに係るペット用吸収性シート１００８においては、第１接着領域２１０と第２接着領域２２０との配列方向１００Ｈが、複数個の隣接接着領域２００Ａにおいて同一とされている。ペット用吸収性シート１００８においては、４個の隣接接着領域２００Ａの全ての隣接接着領域２００Ａにおける第１接着領域２１０と第２接着領域２２０の配列順序が、同一の配列方向１００Ｈとされている。
【０１０８】
図２８は、第８実施パターンに係るペット用吸収性シート１００８において、接着領域２００に剥離シート３００を接着した状態を示す。ペット用吸収性シート１００８の剥離シート３００として、上述した誘導領域４００が適宜選択され、使用される。
【０１０９】
このような構成のペット用吸収性シート１００８において、ユーザが第１接着領域２１０を露出させ、載置対象に接着する場合を説明する。この場合、図２９における左方向から右方向に向かって、剥離シート３００を第１接着領域２１０から剥離する。この、第１接着領域２１０を露出させるために、剥離シート３００を剥離させる方向は、全ての接着領域２００において同一となる。
【０１１０】
すなわち、第１接着領域２１０から剥離シート３００を剥離する場合、ユーザは、剥離シート３００の端部を把持し、手首を返す作業もしくは手首を移動させる作業を行う。ペット用吸収性シート１００８においては、全ての接着領域２００において、剥離シート３００を剥離させるために行う手首を返す作業もしくは手首を移動させる作業が、同一の方向となる。よって、第８実施パターンに係るペット用吸収性シート１００８は、ユーザにとって使い勝手が良いものとなる。
【０１１１】
なお、本発明に係るペット用吸収性シートの構成は上述した構造に限らないものである。基本構成や第１実施パターン〜第８実施パターンに記載されている構成を、適宜組み合わせることは、もちろん可能である。
【０１１２】
（実施の形態と本発明の各構成要素の対応について）
ペット用吸収性シート１００、１００１、１００２、１００３、１００４、１００５、１００６、１００７、１００８は、本発明に係る「ペット用吸収性シート」の一例である。表面シート１１０は、本発明に係る「第１シート」の一例である。裏面シート１２０は、本発明に係る「第２シート」の一例である。吸収性コア１３０は、本発明に係る「吸収性コア」の一例である。排泄面１４０は、本発明に係る「排泄面」の一例である。載置面１５０は、本発明に係る「載置面」の一例である。接着領域２００は、本発明に係る「接着領域」の一例である。第１接着領域２１０は、本発明に係る「第１接着領域」の一例である。第２接着領域２２０は、本発明に係る「第２接着領域」の一例である。粘着剤２３０は、本発明に係る「粘着剤」の一例である。粘着領域２３１は、本発明に係る「粘着領域」の一例である。剥離シート３００は、本発明に係る「剥離シート」の一例である。第１剥離シート面３１０は、本発明に係る「一方の面」の一例である。第２剥離シート面３２０は、本発明に係る「他方の面」の一例である。抑制領域３４０は、本発明に係る「抑制領域」の一例である。促進領域３５０は、本発明に係る「促進領域」の一例である。誘導部４００は、本発明に係る「誘導部」の一例である。ペットシート折り曲げ部１６１は、本発明に係る「ペットシート折り曲げ部」の一例である。剥離シート中間折り曲げ部３７２は、本発明に係る「剥離シート中間折り曲げ部」の一例である。
【０１１３】
以上の本発明の特質に鑑み、以下の各種の構成態様が構築できる。
（態様１）
ペット用吸収性シートであって、
液透過性を有する第１シートと、液不透過性を有する第２シートと、前記第１シート及び前記第２シートの間に配置される吸収性コアと、ペットが排泄を行う側の表面である排泄面と、当該排泄領域と対向する表面である載置面と、を有し、
前記載置面は、粘着剤が塗布されるとともに載置対象に接着可能とされた接着領域を有し、
前記接着領域は、第１接着領域と、当該第１接着領域とは異なる態様で構成された第２接着領域とを有し、
前記第１接着領域と前記第２接着領域を被覆するとともに、前記第１接着領域と前記第２接着領域を所定の順序で露出させる誘導部を有することを特徴とするペット用吸収性シート。
【０１１４】
（態様２）
態様１に記載されたペット用吸収性シートであって、
前記第１接着領域における接着力が、前記第２接着領域における接着力よりも弱く形成されることにより、前記第１接着領域は前記第２接着領域とは異なる態様で構成されることを特徴とするペット用吸収性シート。
【０１１５】
（態様３）
態様１または２のいずれか１項に記載されたペット用吸収性シートであって、
前記接着領域は、粘着剤が塗布された粘着領域により形成されることを特徴とするペット用吸収性シート。
【０１１６】
（態様４）
態様１〜３のいずれか１項に記載されたペット用吸収性シートであって、
前記誘導部は、第１接着領域を先に露出させ、次に第２接着領域を露出させるように形成されていることを特徴とするペット用吸収性シート。
【０１１７】
（態様５）
態様１〜４のいずれか１項に記載されたペット用吸収性シートであって、
前記誘導部は、前記接着領域の少なくとも一部に配置される剥離シートを有し、
前記剥離シートは、一方の面と、当該一方の面と対向する面である他方の面と、を有することを特徴とするペット用吸収性シート。
【０１１８】
（態様６）
態様５に記載されたペット用吸収性シートであって、
前記剥離シートは、前記接着領域に対する接着を抑制する抑制領域を有することを特徴とするペット用吸収性シート。
【０１１９】
（態様７）
態様５または６のいずれか１項に記載されたペット用吸収性シートであって、
前記剥離シートは、前記接着領域に対する接着を促進する促進領域を有することを特徴とするペット用吸収性シート。
【０１２０】
（態様８）
態様１〜７のいずれか１項に記載されたペット用吸収性シートであって、
前記ペット用吸収性シートは、前記第１接着領域と前記第２接着領域との間で折り曲げられたペットシート折り曲げ部を有することを特徴とするペット用吸収性シート。
【０１２１】
（態様９）
態様１〜８のいずれか１項に記載されたペット用吸収性シートであって、
前記剥離シートは、前記一方の面に設けられた前記抑制領域を有し、
前記抑制領域は、前記剥離シートを前記接着領域に接着した状態において、前記第１接着領域と剥離可能に接着される第１抑制領域と、前記第２接着領域と剥離可能に接着される第２抑制領域とを有し、
前記誘導部は、先に前記第１接着領域と前記第１抑制領域とを剥離させ、次に前記第２接着領域と前記第２抑制領域とを剥離させるよう形成されていることを特徴とするペット用吸収性シート。
【０１２２】
（態様１０）
態様９に記載されたペット用吸収性シートであって、
前記剥離シートは、前記他方の面における前記第２抑制領域側の領域に設けられた前記促進領域と、前記第１抑制領域側の領域に形成された端部である剥離開始端部とを有し、
前記促進領域は、前記ペット用吸収性シートを前記載置対象に接着する状態における前記第１接着領域と前記第２接着領域との位置関係において、前記第１接着領域から離間した前記第２接着領域上の領域に接着され、
前記剥離シートが折り返されて形成される第１剥離シート折り曲げ部により前記一方の面が前記接着領域に向けられることを特徴とするペット用吸収性シート。
【０１２３】
（態様１１）
態様９に記載されたペット用吸収性シートであって、
前記剥離シートは、前記一方の面における前記第２抑制領域側の領域に設けられた前記促進領域と、前記第１抑制領域側の領域に形成された端部である剥離開始端部とを有し、
前記促進領域は、前記ペット用吸収性シートを前記載置対象に接着する状態における前記第１接着領域と前記第２接着領域との位置関係において、前記第１接着領域から離間した前記第２接着領域上の領域に接着されることを特徴とするペット用吸収性シート。
【０１２４】
（態様１２）
態様９〜１１のいずれか１項に記載されたペット用吸収性シートにおいて、
前記剥離シートは、当該剥離シートを前記接着領域に接着した状態において、前記ペットシート折り曲げ部と対向する領域が折り曲げられた剥離シート中間折り曲げ部を有することを特徴とするペット用吸収性シート。
【０１２５】
（態様１３）
態様１〜８のいずれか１項に記載されたペット用吸収性シートにおいて、
前記剥離シートの前記抑制領域は、前記一方の面に設けられた第１抑制領域と、前記他方の面に設けられた第２抑制領域とを有し、
前記第１接着抑制領域は前記第１接着領域に接着され、前記第２接着抑制領域は前記第２接着領域に接着されることを特徴とするペット用吸収性シート。
【０１２６】
（態様１４）
態様１３に記載されたペット用吸収性シートであって、
前記剥離シートは、前記一方の面に設けられた前記促進領域を有し、
前記促進領域は、前記ペット用吸収性シートを前記載置対象に接着する状態における前記第１接着領域と前記第２接着領域との位置関係において、前記第１接着領域から離間した前記第２接着領域上の領域に接着され、
前記剥離シートが折り返されて形成される第２剥離シート折り曲げ部により前記一方の面が前記第１接着領域に向けられることを特徴とするペット用吸収性シート。
【０１２７】
（態様１５）
態様１３に記載されたペット用吸収性シートであって、
前記剥離シートは、前記他方の面に設けられた前記促進領域を有し、
前記促進領域は、前記ペット用吸収性シートを前記載置対象に接着する状態における前記第１接着領域と前記第２接着領域との位置関係において、前記第１接着領域から離間した前記第２接着領域上の領域に接着されることを特徴とするペット用吸収性シート。
【０１２８】
（態様１６）
態様１〜１５に記載されたペット用吸収性シートであって、
前記誘導部は、剥離シートに形成された表示部により形成されていることを特徴とするペット用吸収性シート。
【０１２９】
（態様１７）
態様１６に記載されたペット用吸収性シートであって、
前記表示部は、前記第１接着領域を先に露出させ、次に前記第２接着領域を露出させるための表示を有することを特徴とするペット用吸収性シート。
【０１３０】
（態様１８）
態様１６または１７のいずれか１項に記載されたペット用吸収性シートであって、
前記剥離シートは、前記第１接着領域に接着される第１剥離シートと、前記第２接着領域に接着される第２剥離シートとを有し、
前記表示部は、前記第１剥離シートに形成される第１表示部と、前記第２剥離シートに形成される第２表示部とを有することを特徴とするペット用吸収性シート。
【０１３１】
（態様１９）
態様１〜１８のいずれか１項に記載されたペット用吸収性シートであって、
前記ペット用吸収性シートにおける端部領域から央部領域へと向かう方向である内側方向と、前記央部領域から前記端部領域へと向かう方向である外側方向とが規定され、
前記第１接着領域と前記第２接着領域とが隣接一対となっている隣接接着領域を有することを特徴とするペット用吸収性シート。
【０１３２】
（態様２０）
態様１９に記載されたペット用吸収性シートであって、
前記隣接接着領域は複数個形成されており、当該複数個の隣接接着領域において、前記第１接着領域が前記外側方向に配置されている部分を有することを特徴とするペット用吸収性シート。
【０１３３】
（態様２１）
態様１９に記載されたペット用吸収性シートであって、
前記隣接接着領域は複数個形成されており、前記第１接着領域と前記第２接着領域との配列方向が、複数個の前記隣接接着領域において同一であることを特徴とするペット用吸収性シート。
【符号の説明】
【０１３４】
１００、１００１、１００２、１００３、１００４、１００５、１００６、１００７、１００８  ペット用吸収性シート
１００Ｃ  角部
１００Ｃ１  角領域
１００Ｈ  配列方向
１００Ｓ  外側方向
１００Ｕ  内側方向
１００Ｘ  長手交差方向上の端部
１００Ｙ  長手方向の端部
１１０  表面シート（第１シート）
１２０  裏面シート（第２シート）
１３０  吸収性コア
１４０  排泄面
１５０  載置面
１６０  全体折り曲げ線
１６１  ペットシート折り曲げ部
２００  接着領域
２００Ａ  隣接接着領域
２００Ｂ  中間領域
２１０  第１接着領域
２１１  隣接端部
２１１１  隣接端部領域
２１２  離間端部
２１２１  離間端部領域
２２０  第２接着領域
２２１  隣接端部
２２１１  隣接端部領域
２２２  離間端部
２２２１  離間端部領域
２３０  粘着剤
２３１  粘着領域
３００  剥離シート
３００Ａ  第１剥離シート
３００Ｂ  第２剥離シート
３１０  第１剥離シート面（一方の面）
３２０  第２剥離シート面（他方の面）
３３０  剥離シート本体
３４０  抑制領域
３４１  第１抑制領域
３４２  第２抑制領域
３５０  促進領域
３６０  端部
３６１  剥離開始端部
３６１Ａ  剥離開始領域
３６２  固定端部
３６２Ａ  固定領域
３７１  第１剥離シート折り曲げ部
３７２  剥離シート中間折り曲げ部
３７３  第２剥離シート折り曲げ部
４００  誘導部
４１０  表示部
４１１  第１表示部
４１２  第２表示部
Ｘ  長手交差方向
Ｙ  長手方向
【図１】
2014226043.tif 000003
【図２】
2014226043.tif 000004
【図３】
2014226043.tif 000005
【図４】
2014226043.tif 000006
【図５】
2014226043.tif 000007
【図６】
2014226043.tif 000008
【図７】
2014226043.tif 000009
【図８】
2014226043.tif 000010
【図９】
2014226043.tif 000011
【図１０】
2014226043.tif 000012
【図１１】
2014226043.tif 000013
【図１２】
2014226043.tif 000014
【図１３】
2014226043.tif 000015
【図１４】
2014226043.tif 000016
【図１５】
2014226043.tif 000017
【図１６】
2014226043.tif 000018
【図１７】
2014226043.tif 000019
【図１８】
2014226043.tif 000020
【図１９】
2014226043.tif 000021
【図２０】
2014226043.tif 000022
【図２１】
2014226043.tif 000023
【図２２】
2014226043.tif 000024
【図２３】
2014226043.tif 000025
【図２４】
2014226043.tif 000026
【図２５】
2014226043.tif 000027
【図２６】
2014226043.tif 000028
【図２７】
2014226043.tif 000029
【図２８】
2014226043.tif 000030
【図２９】
2014226043.tif 000031